【事件の表示】
　特許第６６９１１００号発明「建具」の特許異議申立事件について、次のとおり決定する。
【結　論】
　特許第６６９１１００号の明細書及び特許請求の範囲を、訂正請求書に添付された訂正明細書及び特許請求の範囲のとおり、訂正後の請求項〔１−２〕について訂正することを認める。
　特許第６６９１１００号の請求項１に係る特許を維持する。
【理　由】
第１　手続の経緯
　特許第６６９１１００号の請求項１及び２に係る特許についての出願は、平成２６年５月２２日に出願された特願２０１４−１０６３２２号（以下、「原出願」という。）の一部を、平成２９年１２月２２日に新たな特許出願としたものであり、令和２年４月１３日にその特許権の設定登録がされ、令和２年４月２８日に特許掲載公報が発行された。その後、令和２年１０月２２日に特許異議申立人　石井　克彦（以下「申立人」という。）より、請求項１に係る特許に対して特許異議の申立てがされたものである。
　その後の経緯は、以下のとおりである。
　・令和３年１月　８日付け：取消理由通知
　・令和３年３月１６日：　　特許権者による意見書の提出及び訂正の請求
　　　　　　　　　　　　　　（以下、「本件訂正請求」という。）
　本件訂正請求について、申立人に期間を指定して意見を求めたところ、申立人による意見書の提出はなかった。
第２　訂正の適否についての判断
１　訂正の内容
　本件訂正請求による訂正の内容は、以下のとおりである（下線は訂正箇所を示す。以下、同様。）。
（１）訂正事項１
　特許請求の範囲の請求項１に、
「前記下框は、前記パネル材を保持する保持用開口部と、前記保持用開口部に対して下方に位置する中空部とを仕切る仕切り片を備え、」
　と記載されているのを、
「前記下框は、
室内側面部、室外側面部および底面部と、前記底面部よりも上方において
および
部を
と
　に訂正する。
（２）訂正事項２
　特許請求の範囲の請求項１に、
「前記保持用開口部には、前記パネル材の下端縁を保持する不燃性の保持材が配置され、」
　と記載されているのを、
「　前記保持用開口部には、前記パネル材の下端縁を保持する不燃性の保持材が配置され、
　前記保持材は、室内側の側片、室外側の側片および下片を有していると共に、前記室外側の側片が上下方向におけるその上縁から下縁にわたって前記下框の室外側面部に接触する位置に配置され、
　に訂正する。
（３）訂正事項３
　特許請求の範囲の請求項１に、
「前記ビスによる固定位置は、前記パネル材の見込み方向における中央と前記パネル材の室内面との間における見込み範囲内に納まっており、
　前記パネル材は、室内側のガラス板と、前記室内側のガラス板よりも板厚が厚く重量の大きい室外側のガラス板とを有した複層のガラスパネルによって構成され、」
　と記載されているのを、
「
　
　
前記ビスの中心は、前記パネル材の見込み方向における中央と前記室内側のガラス板の室外面との間における見込み範囲内に納まっており、
　に訂正する。
（４）訂正事項４
　特許請求の範囲の請求項２に、
「請求項１に記載の建具において、
　前記框補強材は、前記保持用開口部の下面と面接触する
　ことを特徴とする建具。」
　と記載されているのを、
「
　窓枠内に固定された外障子と、前記外障子の室内側に沿って上下にスライドすることにより開閉可能な内障子とを備える建具であって、
　前記外障子は、下框を有して框組みされた内部にパネル材を嵌め込んで構成されるとともに、前記窓枠の左右の縦枠と前記下框とに取り付けられる不燃性の固定装置を介して前記窓枠に固定され、
　前記外障子の前記下框は、前記内障子の内召合せ框の室外側に位置する外召合せ框であり、
　前記下框は、前記パネル材を保持する保持用開口部と、前記保持用開口部に対して下方に位置する中空部とを仕切る仕切り片を備え、
　前記仕切り片には、上下方向において突出したビスホール部が形成され、
　前記保持用開口部には、前記パネル材の下端縁を保持する不燃性の保持材が配置され、
　前記中空部には、不燃性の框補強材が設けられ、
　前記固定装置は、前記下框の端部にビスによって固定され、
　前記ビスによる固定位置は、前記パネル材の見込み方向における中央と前記パネル材の室内面との間における見込み範囲内に納まっており、
　前記パネル材は、室内側のガラス板と、前記室内側のガラス板よりも板厚が厚く重量の大きい室外側のガラス板とを有した複層のガラスパネルによって構成され、
　前記パネル材の重心は、当該パネル材のうち見込み方向における中央よりも室外側に位置し、
　前記框補強材は、前記パネル材の見込み方向における中央よりも室外側であって前記室外側のガラス板の下方位置で、前記下框の見込み方向において前記仕切り片の前記ビスホール部と重なって前記保持材と連結され、
　前記框補強材は、前記保持用開口部の下面と面接触する
　ことを特徴とする建具。」
　に訂正する。
（５）訂正事項５
　願書に添付した明細書の段落【０００８】に、
「　本発明の建具は、窓枠内に固定された外障子と、前記外障子の室内側に沿って上下にスライドすることにより開閉可能な内障子とを備える建具であって、前記外障子は、下框を有して框組みされた内部にパネル材を嵌め込んで構成されるとともに、前記窓枠の左右の縦枠と前記下框とに取り付けられる不燃性の固定装置を介して前記窓枠に固定され、前記外障子の前記下框は、前記内障子の内召合せ框の室外側に位置する外召合せ框であり、前記下框は、前記パネル材を保持する保持用開口部と、前記保持用開口部に対して下方に位置する中空部とを仕切る仕切り片を備え、前記仕切り片には、上下方向において突出したビスホール部が形成され、前記保持用開口部には、前記パネル材の下端縁を保持する不燃性の保持材が配置され、前記中空部には、不燃性の框補強材が設けられ、前記固定装置は、前記下框の端部にビスによって固定され、前記ビスによる固定位置は、前記パネル材の見込み方向における中央と前記パネル材の室内面との間における見込み範囲内に納まっており、前記パネル材は、室内側のガラス板と、前記室内側のガラス板よりも板厚が厚く重量の大きい室外側のガラス板とを有した複層のガラスパネルによって構成され、前記パネル材の重心は、当該パネル材のうち見込み方向における中央よりも室外側に位置し、前記框補強材は、前記パネル材の見込み方向における中央よりも室外側であって前記室外側のガラス板の下方位置で、前記下框の見込み方向において前記仕切り片の前記ビスホール部と重なって前記保持材と連結されることを特徴とする。
　この本発明の建具によれば、下框に設けられてパネル材の荷重を受ける框補強材は不燃性とされる。従って、火災時の輻射熱によって外障子の下框が室外側から溶融しても、框補強材によってパネル材を継続して支持でき、框組みに嵌め込まれたパネル材が下框の呑込部分から外れることがなく、パネル材の脱落を防止できる。
　また、建具として、窓枠と、この窓枠内に固定される外障子と、窓枠内に上下スライド開閉する内障子とを備えた上げ下げ窓とすることができ、防火戸として利用可能な上げ下げ窓を提供できる。」
　と記載されているのを、
「　本発明の建具は、窓枠内に固定された外障子と、前記外障子の室内側に沿って上下にスライドすることにより開閉可能な内障子とを備える建具であって、前記外障子は、下框を有して框組みされた内部にパネル材を嵌め込んで構成されるとともに、前記窓枠の左右の縦枠と前記下框とに取り付けられる不燃性の固定装置を介して前記窓枠に固定され、前記外障子の前記下框は、前記内障子の内召合せ框の室外側に位置する外召合せ框であり、前記下框は、
室内側面部、室外側面部および底面部と、前記底面部よりも上方において
および
と
前記保持材は、室内側の側片、室外側の側片および下片を有していると共に、前記室外側の側片が上下方向におけるその上縁から下縁にわたって前記下框の室外側面部に接触する位置に配置され、
、前
前記ビスの中心は、前記パネル材の見込み方向における中央と前記室内側のガラス板の室外面との間における見込み範囲内に納まっており、
　この本発明の建具によれば、下框に設けられてパネル材の荷重を受ける框補強材は不燃性とされる。従って、火災時の輻射熱によって外障子の下框が室外側から溶融しても、框補強材によってパネル材を継続して支持でき、框組みに嵌め込まれたパネル材が下框の呑込部分から外れることがなく、パネル材の脱落を防止できる。
　また、建具として、窓枠と、この窓枠内に固定される外障子と、窓枠内に上下スライド開閉する内障子とを備えた上げ下げ窓とすることができ、防火戸として利用可能な上げ下げ窓を提供できる。」
　に訂正する。
（６）訂正事項６
　願書に添付した明細書の段落【０００９】に、
「　本発明の建具では、前記框補強材は、前記保持用開口部の下面と面接触することが好ましい。
　このような構成によれば、框補強材が保持用開口部の下面と面接触することで、パネル材を安定して支持でき、パネル材の脱落をより確実に防止できる。」
　と記載されているのを、
「　本発明の建
具は
窓枠内に固定された外障子と、前記外障子の室内側に沿って上下にスライドすることにより開閉可能な内障子とを備える建具であって、前記外障子は、下框を有して框組みされた内部にパネル材を嵌め込んで構成されるとともに、前記窓枠の左右の縦枠と前記下框とに取り付けられる不燃性の固定装置を介して前記窓枠に固定され、前記外障子の前記下框は、前記内障子の内召合せ框の室外側に位置する外召合せ框であり、前記下框は、前記パネル材を保持する保持用開口部と、前記保持用開口部に対して下方に位置する中空部とを仕切る仕切り片を備え、前記仕切り片には、上下方向において突出したビスホール部が形成され、前記保持用開口部には、前記パネル材の下端縁を保持する不燃性の保持材が配置され、前記中空部には、不燃性の框補強材が設けられ、前記固定装置は、前記下框の端部にビスによって固定され、前記ビスによる固定位置は、前記パネル材の見込み方向における中央と前記パネル材の室内面との間における見込み範囲内に納まっており、前記パネル材は、室内側のガラス板と、前記室内側のガラス板よりも板厚が厚く重量の大きい室外側のガラス板とを有した複層のガラスパネルによって構成され、前記パネル材の重心は、当該パネル材のうち見込み方向における中央よりも室外側に位置し、前記框補強材は、前記パネル材の見込み方向における中央よりも室外側であって前記室外側のガラス板の下方位置で、前記下框の見込み方向において前記仕切り片の前記ビスホール部と重なって前記保持材と連結され、
　このような構成によれば、
前述した作用効果を発揮するうえ、
　に訂正する。
（７）訂正事項７
　願書に添付した明細書の段落【００２６】に、
「下框２２の端部と固定装置５０とを固定するビス５２４による固定位置は、図６に示すように、ガラスパネル２４の見込み方向における中央とガラスパネル２４の室内面との間の見込み範囲内に納まっている。」
　と記載されているのを、
「下框２２の端部と固定装置５０とを固定するビス５２４による固定位置は、図６に示すように、ガラスパネル２４の見込み方向における中央と
室内側のガラス板の室外面
　に訂正する。
２　訂正の目的の適否、特許請求の範囲の拡張・変更の存否、新規事項の有無、及び一群の請求項について
（１）訂正事項１について
　ア　訂正目的、及び特許請求の範囲の拡張・変更の存否
　訂正事項１は、訂正前の請求項１における「下框」について、「室内側面部、室外側面部および底面部」を備えること、並びに、「下框」が備える「仕切り片」について、「前記底面部よりも上方において」「保持用開口部」および「中空部」を仕切ることを、限定するものであるから、特許請求の範囲の減縮を目的とするものである。
　また、訂正事項１は、特許請求の範囲の減縮を目的とするものであって、実質上特許請求の範囲を拡張し、又は変更するものではない。
　したがって、訂正事項１は、特許法第１２０条の５第２項ただし書第１号に掲げる特許請求の範囲の減縮を目的とするものであり、また、同法第１２０条の５第９項で準用する第１２６条第６項の規定にも適合するものである。
　イ　新規事項の有無
　願書に添付した明細書の段落【００２３】には、「上部障子２０の下框２２を形成する底面部２２３（図５、図６）」と記載され、段落【００２５】には、「ここで、下框２２は、鉛直な室内側面部２２１および室外側面部２２２と、これらを連結する仕切り片２８とを有している。」と記載されている。また、願書に添付した図面の図６には、下框２２が有する仕切り片２８が、底面部２２３よりも上方において、保持用開口部２６および中空部２７を仕切る様子が、示されている。
　したがって、訂正事項１は、願書に添付した特許請求の範囲、明細書及び図面に記載された事項の範囲内においてするものであり、特許法第１２０条の５第９項で準用する第１２６条第５項の規定に適合するものである。
（２）訂正事項２について
　ア　訂正目的、及び特許請求の範囲の拡張・変更の存否
　訂正事項２は、訂正前の請求項１における「不燃性の保持材」について、「室内側の側片、室外側の側片および下片を有していると共に、前記室外側の側片が上下方向におけるその上縁から下縁にわたって前記下框の室外側面部に接触する位置に配置され」ることを、限定するものであるから、特許請求の範囲の減縮を目的とするものである。
　また、訂正事項２は、特許請求の範囲の減縮を目的とするものであって、実質上特許請求の範囲を拡張し、又は変更するものではない。
　したがって、訂正事項２は、特許法第１２０条の５第２項ただし書第１号に掲げる特許請求の範囲の減縮を目的とするものであり、また、同法第１２０条の５第９項で準用する第１２６条第６項の規定にも適合するものである。
　イ　新規事項の有無
　願書に添付した図面の図６には、保持材２４２が、室内側の片、下片、室外側の片の３片からなることが示されており、室外側の片については上下方向の上端から下端までが、下框２２の室外側面部２２２に接触している様子が、示されている。
　したがって、訂正事項２は、願書に添付した特許請求の範囲、明細書及び図面に記載された事項の範囲内においてするものであり、特許法第１２０条の５第９項で準用する第１２６条第５項の規定に適合するものである。
（３）訂正事項３について
　ア　訂正目的、及び特許請求の範囲の拡張・変更の存否
　訂正事項３は、訂正前の請求項１における「固定装置」を「下框の端部」に固定する「ビス」の位置について、訂正前には「ビスによる固定位置」が「前記パネル材の見込み方向における中央と前記パネル材の室内面との間における見込み範囲内に納まって」いると特定していたところ、訂正後には「ビスの中心」が「前記パネル材の見込み方向における中央と前記室内側のガラス板の室外面との間における見込み範囲内に納まって」いると特定するものであるから、ビスのどの部位を位置特定の対象とするか、及び、見込み方向におけるビスの位置の範囲を限定するものであり、特許請求の範囲の減縮を目的とするものである。
　また、訂正事項３は、特許請求の範囲の減縮を目的とするものであって、実質上特許請求の範囲を拡張し、又は変更するものではない。
　したがって、訂正事項３は、特許法第１２０条の５第２項ただし書第１号に掲げる特許請求の範囲の減縮を目的とするものであり、また、同法第１２０条の５第９項で準用する第１２６条第６項の規定にも適合するものである。
　イ　新規事項の有無
　願書に添付した図面の図６には、固定装置５０を下框２２に固定するビス５２４について、その中心位置が、見込み方向でみて、複層ガラスパネル２４の中央より室内側、かつ、複層ガラスパネル２４の室内側のガラス板の室外面よりも室外側にある様子が、示されている。
　したがって、訂正事項３は、願書に添付した特許請求の範囲、明細書及び図面に記載された事項の範囲内においてするものであり、特許法第１２０条の５第９項で準用する第１２６条第５項の規定に適合するものである。
（４）訂正事項４について
　ア　訂正目的、及び特許請求の範囲の拡張・変更の存否
　訂正事項４は、訂正前の請求項２について、訂正前の請求項１を引用するものであったところ、訂正前の請求項１における特定事項を請求項２に記載することにより、訂正前の請求項１を引用しない独立請求項とするものであるから、他の請求項の記載を引用する請求項の記載を当該他の請求項の記載を引用しないものとするものである。
　また、訂正事項４は、訂正前の請求項２に係る発明を、他の請求項を引用しないものとするものであるから、実質上特許請求の範囲を拡張し、又は変更するものではない。
　したがって、訂正事項４は、特許法第１２０条の５第２項ただし書第４号に掲げる、他の請求項の記載を引用する請求項の記載を当該他の請求項の記載を引用しないものとすることを目的とするものであり、また、同法第１２０条の５第９項で準用する第１２６条第６項の規定にも適合するものである。
　イ　新規事項の有無
　訂正事項４は、上記アのとおり、訂正前の請求項２に係る発明を、他の請求項を引用しない記載形式とするものであるから、訂正後の請求項２に係る発明は、願書に添付した特許請求の範囲の請求項２に記載されていた、訂正前の請求項２に係る発明と同一である。
　したがって、訂正事項４は、願書に添付した特許請求の範囲、明細書及び図面に記載された事項の範囲内においてするものであり、特許法第１２０条の５第９項で準用する第１２６条第５項の規定に適合するものである。
（５）訂正事項５及び７について
　ア　訂正目的、及び特許請求の範囲の拡張・変更の存否
　訂正事項５及び７は、明細書の段落【０００８】及び【００２６】の記載のうち、訂正前の請求項１の記載に対応していた箇所を、訂正事項１ないし３により訂正された訂正後の請求項１の記載と整合させるものであるから、明瞭でない記載の釈明を目的としたものである。
　また、訂正事項５及び７は、明細書の段落【０００８】及び【００２６】の記載を、訂正事項１ないし３により訂正された訂正後の請求項１の記載と整合させるものであるから、訂正事項１ないし３について上記（１）アないし（３）アで述べたのと同様に、実質上特許請求の範囲を拡張し、又は変更するものではない。
　したがって、訂正事項５及び７は、特許法第１２０条の５第２項ただし書第３号に掲げる、明瞭でない記載の釈明を目的とするものであり、また、同法第１２０条の５第９項で準用する第１２６条第６項の規定にも適合するものである。
　イ　新規事項の有無
　訂正事項５及び７は、明細書の段落【０００８】及び【００２６】の記載を、訂正事項１ないし３により訂正された訂正後の請求項１の記載と整合させるものであるから、訂正事項１ないし３について上記（１）イないし（３）イで述べたのと同様に、願書に添付した特許請求の範囲、明細書及び図面に記載された事項の範囲内においてするものである。
　したがって、訂正事項５及び７は、特許法第１２０条の５第９項で準用する第１２６条第５項の規定に適合するものである。
（６）訂正事項６について
　ア　訂正目的、及び特許請求の範囲の拡張・変更の存否
　訂正事項６は、明細書の段落【０００９】の記載について、訂正前の請求項２の記載に対応していたところ、訂正事項４により訂正された訂正後の請求項２の記載と整合させるものであるから、明瞭でない記載の釈明を目的としたものである。
　また、訂正事項６は、明細書の段落【０００９】の記載を、訂正事項４により訂正された訂正後の請求項２の記載と整合させるものであるから、訂正事項４について上記（４）アで述べたのと同様に、実質上特許請求の範囲を拡張し、又は変更するものではない。
　したがって、訂正事項６は、特許法第１２０条の５第２項ただし書第３号に掲げる、明瞭でない記載の釈明を目的とするものであり、また、同法第１２０条の５第９項で準用する第１２６条第６項の規定にも適合するものである。
　イ　新規事項の有無
　訂正事項６は、明細書の段落【０００９】の記載を、訂正事項４により訂正された訂正後の請求項２の記載と整合させるものであるから、訂正事項４について上記（４）イで述べたのと同様に、願書に添付した特許請求の範囲、明細書及び図面に記載された事項の範囲内においてするものである。
　したがって、訂正事項６は、特許法第１２０条の５第９項で準用する第１２６条第５項の規定に適合するものである。
（７）訂正の対象とする請求項、一群の請求項、及び独立特許要件について
　ア　訂正の対象とする請求項、及び一群の請求項について
　訂正事項１ないし３、並びに訂正事項５及び７は、訂正前の請求項１について、特許請求の範囲を減縮するとともに、明細書の記載を訂正後の請求項１の記載と整合させるものであるから、請求項１について請求するものである。
　訂正事項４及び６は、訂正前の請求項２について、訂正前の請求項１の記載を引用しないものとするとともに、明細書の記載を訂正後の請求項２の記載と整合させるものであるから、請求項２について請求するものである。
　そして、訂正前の請求項１及び２について、請求項２は請求項１を引用しているから、訂正事項１ないし７により請求項１及び２についてする本件訂正請求は、特許法第１２０条の５第４項に規定する一群の請求項［１−２］に対して請求されたものである。
　イ　独立特許要件について
　訂正事項１ないし３、並びに訂正事項５及び７により、請求項１についてされる訂正は、訂正事項１ないし３により、訂正前の請求項１に係る発明について、特許請求の範囲を減縮するものを含んでいるが、本件においては、訂正前の請求項１について特許異議の申立てがされているから、訂正後の請求項１に係る発明について、特許法第１２０条の５第９項で読み替えて準用する同法第１２６条第７項の独立特許要件は課されない。
　訂正事項４及び６により、請求項２についてされる訂正は、他の請求項の記載を引用する請求項の記載を当該他の請求項の記載を引用しないものとすること、及び、明瞭でない記載の釈明を目的とするものであるから、訂正後の請求項２に係る発明について、特許法第１２０条の５第９項で読み替えて準用する同法第１２６条第７項の独立特許要件は課されない。
３　本件訂正に対する申立人の主張について
　本件訂正請求について、申立人に期間を指定して意見を求めたところ、申立人は本件訂正請求に対する意見書を提出しなかった。
　また、本件訂正請求による訂正の適否について、上記２と異なる判断をすべき事情を見いだすことはできない。
４　まとめ
　以上のとおり、本件訂正請求による訂正は、特許法第１２０条の５第２項ただし書第１号、第３号及び第４号に掲げる事項を目的とするものであり、かつ、同条第９項において準用する同法第１２６条第５項及び第６項の規定に適合するので、訂正後の請求項１及び２について訂正を認める。
第３　本件訂正発明
　本件訂正請求により訂正された請求項１に係る発明（以下、「本件訂正発明」という。）は、その特許請求の範囲の請求項１に記載された次の事項により特定されるとおりのものである。
「【請求項１】
　窓枠内に固定された外障子と、前記外障子の室内側に沿って上下にスライドすることにより開閉可能な内障子とを備える建具であって、
　前記外障子は、下框を有して框組みされた内部にパネル材を嵌め込んで構成されるとともに、前記窓枠の左右の縦枠と前記下框とに取り付けられる不燃性の固定装置を介して前記窓枠に固定され、
　前記外障子の前記下框は、前記内障子の内召合せ框の室外側に位置する外召合せ框であり、
　前記下框は、室内側面部、室外側面部および底面部と、前記底面部よりも上方において前記パネル材を保持する保持用開口部および前記保持用開口部に対して下方に位置する中空部を仕切る仕切り片とを備え、
　前記仕切り片には、上下方向において突出したビスホール部が形成され、
　前記保持用開口部には、前記パネル材の下端縁を保持する不燃性の保持材が配置され、
　前記保持材は、室内側の側片、室外側の側片および下片を有していると共に、前記室外側の側片が上下方向におけるその上縁から下縁にわたって前記下框の室外側面部に接触する位置に配置され、
　前記中空部には、不燃性の框補強材が設けられ、
　前記固定装置は、前記下框の端部にビスによって固定され、
　前記パネル材は、室内側のガラス板と、前記室内側のガラス板よりも板厚が厚く重量の大きい室外側のガラス板とを有した複層のガラスパネルによって構成され、
　前記ビスの中心は、前記パネル材の見込み方向における中央と前記室内側のガラス板の室外面との間における見込み範囲内に納まっており、
　前記パネル材の重心は、当該パネル材のうち見込み方向における中央よりも室外側に位置し、
　前記框補強材は、前記パネル材の見込み方向における中央よりも室外側であって前記室外側のガラス板の下方位置で、前記下框の見込み方向において前記仕切り片の前記ビスホール部と重なって前記保持材と連結される
　ことを特徴とする建具。」
第４　証拠一覧、異議申立理由の概要、取消理由の概要、及び証拠の記載
１　証拠一覧
（１）申立人により、申立書とともに提出された証拠は、以下のとおりである。
・甲第１号証：
　三共立山株式会社　三共アルミ社、「三共アルミ　防火サッシＦ型　片上げ下げ窓　シングルハング　アルミ樹脂複合タイプ　面格子付片上げ下げ窓　Ｌｏｗ−Ｅガラス仕様　施工要領書」、第２版　２０１３年６月修正（第１版　２０１３年５月発行）
・甲第２号証：
　特開２０１３−７９５６３号公報（平成２５年５月２日公開）
・甲第３号証：
　特開２０１３−７６２６１号公報（平成２５年４月２５日公開）
・甲第４号証：
　特開２０１３−１４４８７７号公報（平成２５年７月２５日公開）
・甲第５号証：
　特開２００４−２５１１０４号公報（平成１６年９月９日公開）
・甲第６号証：
　実願昭５２−１７３６６５号（実開昭５４−９９３４０号）のマイクロフィルム（昭和５４年７月１３日公開）
・甲第７号証：
　実願昭５４−９１１６７号（実開昭５６−８７９０号）のマイクロフィルム（昭和５６年１月２６日公開）
・甲第８号証：
　特開２０１１−２１４２８３号公報（平成２３年１０月２７日公開）
・甲第９号証：
　特開２０１０−２７５７９０号公報（平成２２年１２月９日公開）
・甲第１０号証：
　特開２００４−２８５７４９号公報（平成１６年１０月１４日公開）
・甲第１１号証：
　特開２０１０−１５０９１０号公報（平成２２年７月８日公開）
・甲第１２号証：
　特開２０１４−２１８８３２号公報（参考文献として提出、特願２０１３−９８８８２号（平成２５年５月８日出願）の公開公報、平成２６年１１月２０日公開）
２　異議申立理由、及び取消理由の要旨
（１）申立人による異議申立理由
　申立人による異議申立理由の要旨は、次のとおりである。　
　本件特許の請求項１に係る発明は、本件特許の原出願前に頒布された甲第１号証に記載された発明、及び甲第２号証ないし甲第１１号証に記載された周知技術に基いて、当業者が容易に発明をすることができたものであり、特許法第２９条第２項の規定により特許を受けることができないものであるから、その発明に係る特許は、同法第１１３条第２号に該当し、取り消されるべきものである。
（２）令和３年１月８日付けの取消理由
　当審が令和３年１月８日付けで特許権者に通知した取消理由の要旨は、次のとおりである。
　本件特許の請求項１に係る発明は、本件特許の原出願前に頒布された甲第１号証に記載された発明、及び甲第３号証に記載された発明に基いて、当業者が容易に発明をすることができたものであり、特許法第２９条第２項の規定により特許を受けることができないものであるから、その発明に係る特許は、同法第１１３条第２号に該当し、取り消されるべきものである。
３　証拠に記載された事項
（１）甲第１号証
　ア　記載事項
　本願の原出願前に発行された甲第１号証には、次の事項が記載されている（下線は、当審で付加した。以下、同様。）。
（ア）第１頁　冒頭
「三共アルミ　
防火サッシ
片上げ下げ窓
（イ）第２頁
　第２頁冒頭には、「施工用同梱ねじ一覧表」と題する表の中に、「
タッピンねじ
　第２頁中程には、「各部の名称」と題して、次の説明及び図が示されている。
「　
」
（ウ）第２頁　下方　「ガラス寸法」の欄
　第２頁下方には、「ガラス寸法」と題して、次の表が示されている。
「
」
（エ）第３頁　「枠の組み立て」
　第３頁には、「枠の組み立て」と題して、「●図−１のように枠を組み立ててください。」の文の後に、次の図−１が示されている。
「
」
（オ）第５頁　「障子の組み立て」
　ａ　第５頁には、「障子の組み立て」と題して、次の説明、図、及び「グレイジングチャンネル一覧表」が示されている。
「
」
　ｂ　上記ａの図のうち、外障子の部分の拡大図は、次のとおりである（切り出しは、当審で行った。）。　
「
」
（カ）第６頁下半分〜第７頁　「＜外障子の建て込み＞」
　ａ　「○１」及び「○２」（当審注；それぞれ丸数字の１及び２を示す。以下、同様。）
　第６頁の下半分には、＜外障子の建て込み＞について、次の「○１」及び「○２」の説明及び図示がある。
「
」
　ｂ　「○３」及び「○４」
　第７頁上方には、＜外障子の建て込み＞について、上記ａの説明に後続する、次の「○３」及び「○４」の説明並びに図示がある（当審注；「○４」の説明の下線は、申立人による。）。
「
」
　ｃ　「○５」
　第７頁中程から下方の右半分には、＜外障子の建て込み＞について、上記ａ及びｂの説明に後続する、次の「○５」の説明、及び図示がある。
「○５　ロッド棒受け金具をたて枠に押し当てながらねじ止めし、障子を固定します。」
「
」
　ｄ　ロッド棒受け金具の取り付け説明図
　第７頁の下方の左半分には、＜外障子の建て込み＞について、ロッド棒受け金具の取り付けに関して、次の説明及び図示がある。
「　
」
（キ）第１０頁「枠本体の取り付け」
　第１０頁には、「枠本体の取り付け」と題して、「○２」として、次の説明がある。
「○２　取り付け後、
障子
開閉
上げと下げ
（ク）最終頁　「納まり参考図」
　ａ　最終頁には、「納まり参考図」と題して、左側に次の図示がある。
「
」
　ｂ　上記ａの図のうち、外障子の下框周辺部分の拡大図は、次のとおりである。
「
」
（ケ）認定事項
　上記（ア）より、甲第１号証には、
防火サッシの片上げ下げ窓
　上記（イ）及び（エ）より、甲第１号証には、片上げ下げ窓が、
上枠、下枠、及び左右のたて枠からなる、枠
　上記（イ）及び（ウ）より、甲第１号証には、片上げ下げ窓が、
枠内に配置された、ＦＩＸ部である外障子
　上記（イ）及び（ウ）より、甲第１号証には、片上げ下げ窓が、
枠内に、かつ外障子の室内側に配置された、上げ下げ部
内障子
内障子
上げと下げにより障子の開閉を行う
　上記（オ）ａにおける「外障子」の図、及び「グレイジングチャンネル一覧表」における「複層ガラス」の語より、甲第１号証には、
外障子は、下框を有して框組みした内部に複層ガラスを嵌め込んで構成され
　上記（オ）ａにおける「グレイジングチャンネル一覧表」の記載から、甲第１号証には、
外障子
の複層ガラスは、
外側が網入りで６．８ｍｍのガラス、内側が３ｍｍのガラス、外側のガラスと内側のガラスとの間の空気層が１２ｍｍの、計２１．８ｍｍの厚さ
　上記（オ）ｂにおける外障子の図及び「○２　下框にロッド棒を奥まで差し込んで下さい。」の記載、上記（カ）ｂにおける「○４　ロッド棒を外障子ストッパーへ十分に押しあててください。」の記載、上記（カ）ｃにおける「○５　ロッド棒受け金具をたて枠に押し当てながらねじ止めし、障子を固定します。」の記載、並びに、同（カ）ｃの図示において、ロッド棒受け金具のねじ止めが、外障子の下框に挿入されたロッド棒、及び、ロッド棒が挿入された外障子の下框に対して行われていることから、甲第１号証には、
外障子は、外障子の下框の左右端部に差し込んだロッド棒を、たて枠側の外障子ストッパーに十分に押し当てた状態で、ロッド棒受け金具をたて枠に押し当てながら、下框の左右端部に差し込んだロッド棒、及び下框の左右端部に、ロッド棒受け金具をねじ止めすることで固定され
　上記（イ）の図示における外障子と内障子との位置関係、内障子の上框に設けられた「クレセント」及び外障子の下框に設けられた「クレセント受け」の位置関係、並びに、上記（ク）ａの図示に示される内障子が閉じた状態における外障子の下框と内障子の上框との位置関係より、甲第１号証には、
外障子の下框は、内障子が閉じた状態で内障子の上框の室外側に位置し、内障子の上框の上部に設けられたクレセントに対応するクレセント受けが外障子の下框の上部に設けられて
　上記（オ）ｂにおける外障子の下框の図、及び上記（カ）ｄにおける外障子の下框の断面図から、上記（イ）に記載される「タッピンねじ」がねじ止めされる箇所を含む下框の構造に着目すると、甲第１号証には、
外障子の下框は、複層ガラスを受ける上方に開口した部分と、上方に開口した部分に対して下方に位置する中空部とを仕切る仕切り片とを備え、仕切り片には、下框にたて框をタッピンねじでねじ止めする、下方に突出したタッピンねじホールが形成され
　上記（カ）ｄにおける外障子の下框の断面図をふまえて、上記（ク）ａ及びｂにおける納まり断面図における外障子の下框周辺を注視すると、
外障子の下框の仕切り片の上側、かつ複層ガラスの下に
断面視で薄板状の部材が配置
仕切り片下の中空部
断面視で折り曲げ片状の部材
　上記（カ）ｃの図示において、ロッド棒受け金具のロッド棒へのねじ止めは、ロッド棒受け金具が有する３つのねじ穴のうち、上下方向で見て下方、室内外方向で見て室外側の一つ穴で行われていることをふまえると、上記（カ）ｄの平面図の図示における、ロッド棒受け金具の一つ穴のねじ穴の位置より、
ロッド棒受け金具の、ロッド棒へのねじ止めは、小ねじトラスにより、外障子の複層ガラスの空気層の下方の位置で行われ
　また、上記（カ）ｃの図示において、ロッド棒受け金具の下框の左右端部へのねじ止めは、ロッド棒金具が有する３つのねじ穴のうち、上下方向で見て上方、室内外方向で見て室内側の二つ穴で行われていることをふまえると、上記（カ）ｄの断面図の図示における上方のねじの位置、及び上記（カ）ｄの平面図の図示におけるロッド棒受け金具の二つ穴のねじ穴の室内外方向の位置より、
ロッド棒受け金具の、下框の左右端部へのねじ止めは、外障子の複層ガラスの内側ガラスの略下方の位置で行われ、当該ねじ止めを行うねじ穴は、室外側の端部が外障子の複層ガラスの内側ガラスの室外側面と略一致し、当該ねじ穴の中心は、外障子の複層ガラスの内側ガラスの室外側面より室内側に位置する
　上記（カ）ｄにおける外障子の下框の断面図をふまえて、上記（ク）ａ及びｂにおける納まり断面図における外障子の下框周辺を注視すると、
外障子の下框の仕切り片下の中空部に配置される断面視で折り曲げ片状の部材は、見込み方向の室内側及び室外側に、互いに仕切り片からの距離が異なる略水平な部分を有する、柄杓状であり、見込み方向の室外側の略水平な部分は、見込み方向の室内側の略水平な部分よりも仕切り片からの距離が近く、外障子の複層ガラスの外側のガラスの下方の位置で仕切り片のタッピンねじホールと当接している
　イ　甲第１号証に記載された発明
　上記アより、甲第１号証には、次の発明（以下、「甲１発明」という。）が記載されていると認められる。
「上枠、下枠、及び左右のたて枠からなる、枠と、
　枠内に配置された、ＦＩＸ部である外障子と、
　枠内に、かつ外障子の室内側に配置された、上げ下げ部であり、上げと下げにより障子の開閉を行う、内障子と、
　を備える、防火サッシの片上げ下げ窓であり、
　外障子は、下框を有して框組みした内部に複層ガラスを嵌め込んで構成され、
　外障子は、外障子の下框の左右端部に差し込んだロッド棒を、たて枠側の外障子ストッパーに十分に押し当てた状態で、ロッド棒受け金具をたて枠に押し当てながら、下框の左右端部に差し込んだロッド棒、及び下框の左右端部に、ロッド棒受け金具をねじ止めすることで固定され、
　外障子の下框は、内障子が閉じた状態で内障子の上框の室外側に位置し、内障子の上框の上部に設けられたクレセントに対応するクレセント受けが外障子の下框の上部に設けられており、
　外障子の下框は、複層ガラスを受ける上方に開口した部分と、上方に開口した部分に対して下方に位置する中空部とを仕切る仕切り片とを備え、
　仕切り片には、下框にたて框をタッピンねじでねじ止めする、下方に突出したタッピンねじホールが形成され、
　外障子の下框は、仕切り片の上側、かつ複層ガラスの下に配置される断面視薄板状の部材と、仕切り片下の中空部に配置される、断面視で折り曲げ片状の部材を有し、
　ロッド棒受け金具の、ロッド棒へのねじ止めは、小ねじトラスにより、外障子の複層ガラスの空気層の下方の位置で行われ、
　ロッド棒受け金具の、下框の左右端部へのねじ止めは、外障子の複層ガラスの内側ガラスの略下方の位置で行われ、当該ねじ止めを行うねじ穴は、室外側の端部が外障子の複層ガラスの内側ガラスの室外側面と略一致し、当該ねじ穴の中心は、外障子の複層ガラスの内側ガラスの室外側面より室内側に位置し、
　外障子の複層ガラスは、外側が網入りで６．８ｍｍのガラス、内側が３ｍｍのガラス、外側のガラスと内側のガラスとの間の空気層が１２ｍｍの、計２１．８ｍｍの厚さであり、
　外障子の下框の仕切り片下の中空部に配置される断面視で折り曲げ片状の部材は、見込み方向の室内側及び室外側に、互いに仕切り片からの距離が異なる略水平な部分を有する、柄杓状であり、見込み方向の室外側の略水平な部分は、見込み方向の室内側の略水平な部分よりも仕切り片からの距離が近く、外障子の複層ガラスの外側のガラスの下方の位置で仕切り片のタッピンねじホールと当接している、
　防火サッシの片上げ下げ窓。」
（２）甲第２号証
　本願の原出願前に公開された甲第２号証には、次の事項が記載されている。
　ア　段落【００１６】
「【００１６】
　各框のガラス溝２０内には、図１，２，４に示すように、グレチャン２２の外側を囲むように
金属の薄板を溝型に折り曲げて形成したガラス間口補強材３１
ガラス溝２０
に
配置
金属框
２６ｄにビス３２で固定
　このように、ガラス溝２０内に金属製のガラス間口補強材３１が設けてあることで、金属框２６ａ，２６ｂ，２６ｃ，２６ｄのガラス保持片（ガラス溝２０の室外側の壁）が火災の熱で溶融したり、上述のように樹脂カバー２７ａ，２７ｂ，２７ｃ，２７ｄが剥離したりしたとしても、ガラス２３ａ，２３ｂの脱落を防止できる。また、下框１７ａ，１７ｂのガラス溝２０の底部に金属製の下がり防止部材３３を配置してあるため、火災時でもガラス２３ａ，２３ｂのずり下がりを防止できる。
　
ガラス間口補強材３１
火災時に容易に溶融したり変形したりしない
ステンレスや鉄などの金属
　イ　段落【００２０】
「【００２０】
　戸先框１８ａ，１８ｂと召し合せ框１９ａ，１９ｂは、図２に示すように中空部３５を有しており、中空部３５内には
コ字形断面の補強材３６
ネジにより固定
　さらに、戸先框１８ａ，１８ｂと召し合せ框１９ａ，１９ｂの長手方向中間部には、中空部３５内に補強材３６に係合して金属製の塞ぎ板３８が設けてある。戸先框１８ａ，１８ｂと召合せ框１９ａ，１９ｂの上端部には樹脂部品が取付けてあり、火災時にはそれらの樹脂部品が溶融して中空部３５内に落ちるが、塞ぎ板３８がその溶融した樹脂を受け止めて保持することで、溶融した樹脂が框の下端部や下枠上面等に溜まり引火するのを防止できる。
　図１に示すように、
外障子２の下框１７ａの中空部内
補強材３６
　ウ　【図４】
「
」
（３）甲第３号証
　ア　記載事項
　本願の原出願前に公開された甲第３号証には、次の事項が記載されている。
（ア）段落【０００９】−【００１０】
「【０００９】
　以下に、添付図面を参照して本発明の実施の形態を詳細に説明する。本実施の形態に係るサッシ１は、すべり出しサッシであり、図１〜図３に示すように、
障子３の框１２はアルミニウム製形材の上框５、下框７及び左右の竪框９、９をガラス４の四周に框組して形成してあり、
　図１に示すように、上框５と上枠１３との間と、下框７と下枠１５との間に、各々障子３を室外側に吊り出すステー（障子支持具）１９が設けてある。
【００１０】
　
障子３の下框７の上部には、ガラス４の下端部を保持するガラス保持溝２１が設けてあり、ガラス保持溝２１の下方には中空部２３が形成され
　
ガラス保持溝２１には
ガラス保持溝２１の溝壁とグレイジングガスケット２４との間に設けたスチール製のガラス保持溝補強材２５が設けてある
　下框７の上面には、左右側端部及び中央部に排水孔７ｄが形成されており、ガラス保持溝補強材２５には、排水孔７ｄが形成してある位置に対応して切除部が形成されている。
　図１０に示すように、下框補強材５１が配置されている下框７の下面７ａには、その長手方向一端部に排水穴７ｂが形成されており、図１及び図１１に示すように、補強材５１には、排水穴７ｂの位置に対応して穴５１ｄが形成されていると共に穴５１ｄの横にある側壁５１ｃに第１１熱膨張耐火材３２ｋが設けてある。
　下框７のガラス保持溝２１の溝底に設けた第２熱膨張耐火材３２ｂは、竪框９との組付けコーナにおいて竪框９と下框７との間に挟んであり、火災時に膨張して竪框９と下框７とのメタルタッチ部分を塞ぐようになっている。
　下框７の下面には、スチール製の下補助板２９がねじ３０で固定してある。下補助板２９は下框７に取付けてある樹脂製形材６の長手方向に亘って樹脂製形材６の下面を覆っている。
　また、図１に示すように、
下框７には、中空内にスチール製の断面コ字状の下框補強材５１が設けてあり、下框補強材５１の上端部５１ａは下框７のガラス保持溝補強材２５にねじ５０で固定してあり、
（イ）段落【００１７】
「【００１７】
　次に、本実施の形態にかかる
サッシ１
　
火災の熱によりアルミニウム製の框や枠１１が溶けた場合であっても
アルミニウムよりも融点が高い材質でできたガラス保持溝補強材２５、下框補強材５１
が、一連にねじ５０
で固定してあるから、ガラス４の脱落を防止できる
　更に、火災時に、アルミ樹脂複合障子３の樹脂形材６が焼け落ちた場合でも、火災の熱により下枠１５に設けた第４熱膨張耐火材３２ｄが膨張して下框７の下補助板２９及びコーナ部７ｃに当接して、下框７と下枠１５との間の空間を塞ぐ。これにより、火災時にアルミ樹脂複合障子３の下框７と下枠１５との間から外気が室内に入り込んだり、室内の炎を外に噴出するのを防止できる。」
（ウ）【図１】には、次の図示がある。
「
」
（エ）【図１】の下框部分を拡大すると、次のａ及びｂのとおりである。
　ａ　ガラス保持溝２１、ガラス保持溝補強材２５、下框補強材５１を含む拡大図
「
」
　ｂ　ａのさらなる拡大図
「
」
　上記ａ及びｂより、
下框７には、ガラス保持溝２１と
中空部２３を仕切る仕切り片
仕切り片には、
下方向に突出する突出部があり、当該突出部は下框補強材５１に当接している
ねじ５０による固定位置は、下框補強材５１に当接する突出部の位置と重なっている
　ねじ５０の位置で下方向に突出する
突出部は
ねじホールである
　イ　甲第３号証に記載された発明
　上記アより、甲第３号証には、次の発明（以下、「甲３発明」という。）が記載されている。
「障子３の框１２は、アルミニウム製形材の上框５、下框７及び左右の竪框９、９をガラス４の四周に框組して形成してあり、
　障子３の下框７の上部には、ガラス４の下端部を保持するガラス保持溝２１が設けてあり、ガラス保持溝２１の下方には中空部２３が形成されており、
　ガラス保持溝２１には、ガラス保持溝２１の溝壁とグレイジングガスケット２４との間に設けたスチール製のガラス保持溝補強材２５が設けてあり、
　下框７には、中空部２３内にスチール製の断面コ字状の下框補強材５１が設けてあり、
　下框７には、ガラス保持溝２１と中空部２３を仕切る仕切り片があり、仕切り片には、下方向に突出する、ねじホールである突出部があり、ねじホールである突出部は、下框補強材５１に当接しており、
　下框補強材５１の上端部５１ａは、下框７のガラス保持溝補強材２５にねじ５０で固定してあり、ねじ５０による固定位置は、下框補強材５１に当接するねじホールである突出部の位置と重なっており、
　アルミニウムよりも融点が高い材質でできたガラス保持溝補強材２５、下框補強材５１が、一連にねじ５０で固定してあるから、火災の熱によりアルミニウム製の框や枠１１が溶けた場合であっても、ガラス４の脱落を防止できる、
　サッシ１。」
（４）甲第４号証
　本願の原出願前に公開された甲第４号証には、次の事項が記載されている。
　ア　段落【００３９】
「【００３９】
　図６〜図８に示すように、金属上框６ａ、
金属下框７ｂ
の本体部６０の中空部内には、金属の
下框補強材７５
が
設けてある
　上框６、
下框７
のパネル取付溝
７ｄ
内には
下溝補強材７６
が
設けてある
　そして、上框補強材６５と上溝補強材６６をビス６７で連結し、
下框補強材７５と下溝補強材７６をビス７７で連結
してある
　イ　【図７】
「
」
（５）甲第５号証
　本願の原出願前に公開された甲第５号証には、次の事項が記載されている。
　ア　段落【００４５】
「【００４５】
　下に位置する横框５９には図５に示すようにタッピングホール部６２と、下方に開口する下開口部６６が設けてある。下開口部６６には断面コ字状をした下地枠６７が嵌め込まれてねじ具６８により固定してあり、この下地枠６７の両内壁面の上下方向の略中間部分には全長にわたって引掛け用突部６９が突設してある。下地枠６７は下開口部６６の長手方向の端部を少し残した状態（つまり端部ブロック部４８を嵌め込む部分を残して）で嵌め込んである。」
　イ　【図１３】
「
」
（６）甲第６号証
　本願の原出願前に公開された甲第６号証には、次の事項が記載されている。
「
」
　上記第４図から、タツピングホール１５が、セルタツピングねじ等の連結部品４９を介した取付けにも用いられる様子が、看て取れる。
（７）甲第７号証
　本願の原出願前に公開された甲第７号証には、次の事項が記載されている。
　ア　明細書第５頁第３行−第１８行
「また第２図に示すように、固定桟１の壁体５の内面５ａに設けた
タツピングホール１７を形成する一対の弧状片を突条６，６’とし
タツピングネジ螺挿部以外の部分をパネル固定のための突条６，６’として用い
突条６，６’はパネル固定のためのネジ１６挿通部としての機能と
タツピングネジ挿通部としての機能との２つの機能を兼備している
　イ　第１図
「
」
　ウ　第２図
「
」
（８）甲第８号証
　本願の原出願前に公開された甲第８号証には、次の事項が記載されている。
　ア　段落【００４２】−【００４６】
「【００４２】
　本実施形態では、サッシにつき防火性を持たせるようにしてもよい。サッシの防火性は、火事の際に樹脂部材が溶けて落ちた場合にも、障子やガラス体が脱落しないようにすることを言う。図６には、
防火性を持たせた障子
下框４１には、
内周面にガラス体６を保持するための保持溝
４１ｃが形成され
【００４３】
　ガラス体６は、室内ガラス６ａと室外ガラス６ｂとが、スペーサー部材６ｃを介して対向配置され
複層ガラス
【００４４】
　この場合において、火事で樹脂部材が金属部材から落ちた場合、ガラス体６を保持する保持溝４０ｃ、４１ｃの室内壁が失われるので、そのままではガラス体６が脱落する。このため、金属上框４０ａには上落下防止材４３が、
金属下框４１ａには下落下防止材４４が
【００４５】
　上落下防止材４３は、薄板が屈曲状に形成されてなり、金属上框４０ａに対してネジ止め固定される固定面部４３ａと、固定面部４３ａの室内端部において見付方向内側に向かう段差４３ｂと、段差４３ｂから室内側に向かって断面略Ｌ字状に伸びる室内保持部４３ｃとを有している。室内保持部４３ｃは、グレチャン７の底壁及び室内面に沿うように形成されており、樹脂上框４０ｂが失われた場合に、ガラス体６の室内面側を保持する。
【００４６】
　
下落下防止材４４
薄板が屈曲状に形成されてなり、金属下框４１ａに対してネジ止め固定される
　イ　【図６】
「
」
（９）甲第９号証
　本願の原出願前に公開された甲第９号証には、次の事項が記載されている。
　ア　段落【００２８】
「【００２８】
　前記第２可動障子４の
下框４０
下向きコ字形状の枠材４０ｂ
ビス４０ｃで固着
　前記横片６４に取り付けた障子ガイドローラ６１が前記ガイド凹溝４ａ内に面内方向に移動可能に嵌まり込んでいる。」
　イ　【図７】
「
」
（１０）甲第１０号証
　本願の原出願前に公開された甲第１０号証には、次の事項が記載されている。
「
」
（１１）甲第１１号証
　本願の原出願前に公開された甲第１１号証には、次の事項が記載されている。
「
」
（１２）甲第１２号証
　本願の原出願後に公開された、申立人が参考文献として提出する甲第１２号証には、次の事項が記載されている。
「
」
第５　当審の判断
　上記第２のとおり、本件訂正請求による訂正は全て認められたので、以下では、本件訂正発明について、判断する。　
１　先の取消理由通知に記載した取消理由について
（１）対比
　本件訂正発明と甲１発明とを対比する。
　甲１発明における「防火サッシの片上げ下げ窓」は、本件訂正発明における「建具」に相当する。
　甲１発明における「上枠、下枠、及び左右のたて枠からなる、枠」は、「防火サッシの片上げ下げ窓」の「枠」であることをふまえると、本件訂正発明における「窓枠」に相当する。
　甲１発明における、「枠内に配置された、ＦＩＸ部である外障子」は、本件訂正発明における、「窓枠内に固定された外障子」に相当する。甲１発明における、「枠内に、かつ外障子の室内側に配置された、上げ下げ部であり、上げと下げにより障子の開閉を行う、内障子」は、本件訂正発明における、「外障子の室内側に沿って上下にスライドすることにより開閉可能な内障子」に相当する。
　甲１発明における「複層ガラス」は、本件訂正発明における「パネル材」に相当し、甲１発明において、「外障子は、下框を有して框組みした内部に複層ガラスを嵌め込んで構成され」ることは、本件訂正発明において、「外障子は、下框を有して框組みされた内部にパネル材を嵌め込んで構成される」ことに相当する。
　甲１発明において、「ＦＩＸ部」である「外障子」の「固定」が、「外障子の下框の左右端部に差し込んだロッド棒」を「たて枠側の外障子ストッパーに十分に押し当てた状態」で、「下框の左右端部に差し込んだロッド棒、及び下框の左右端部に、ロッド棒受け金具をねじ止めする」ことで行われることから、「たて枠側の外障子ストッパー」が「たて枠」に固定的に取り付けられたうえで、「ロッド棒受け金具」の「ロッド棒」及び「下框の左右端部」への「ねじ止め」により、「ロッド棒」の位置が「たて枠側の外障子ストッパーに十分に押し当てた状態」で固定されることが明らかであることをふまえると、甲１発明における「ロッド棒」、「ロッド棒受け金具」及び「外障子ストッパー」は、「外障子」を「枠」に「固定」するために協働する部材であり、本件訂正発明において「外障子」を「窓枠に固定」する「固定装置」に相当する。また、甲１発明において、「ロッド棒」、「ロッド棒受け金具」及び「外障子ストッパー」のうち、「ロッド棒受け金具」が「下框の左右端部」に「ねじ止め」され、「外障子ストッパー」が「たて枠」に固定的に取り付けられていることは、本件訂正発明において、「固定装置」が「窓枠の左右の縦枠」と「下框」とに「取り付けられる」構成に、相当する。
　甲１発明において、「上げと下げにより障子の開閉」を行う「内障子が閉じた状態」で、「外障子の下框」が「内障子の上框の室外側に位置」すること、及び、「内障子の上框の上部に設けられたクレセントに対応するクレセント受けが外障子の下框の上部に設けられて」いることから、「外障子の下框」は、「内障子の上框」に対して、内召合せ框の室外側に位置する外召合せ框となっていることが明らかであり、甲１発明における「外障子の下框」と「下障子の上框」との関係は、本件訂正発明において、「前記外障子の前記下框は、前記内障子の内召合せ框の室外側に位置する外召合せ框」である関係に相当する。
　甲１発明において、「外障子の下框は、複層ガラスを受ける上方に開口した部分と、上方に開口した部分に対して下方に位置する中空部とを仕切る仕切り片とを備え」る構成と、本件訂正発明において、「前記下框は、室内側面部、室外側面部および底面部と、前記底面部よりも上方において前記パネル材を保持する保持用開口部および前記保持用開口部に対して下方に位置する中空部を仕切る仕切り片とを備え」る構成とは、「前記下框は、前記パネル材を保持する保持用開口部および前記保持用開口部に対して下方に位置する中空部を仕切る仕切り片とを備え」る点で、共通する。
　甲１発明における「タッピンねじホール」は、本件訂正発明における「ビスホール部」に相当する。甲１発明において、「仕切り片には、下框にたて框をタッピンねじでねじ止めする、下方に突出したタッピンねじホールが形成され」る構成は、本件訂正発明において、「前記仕切り片には、上下方向において突出したビスホール部が形成され」る構成に相当する。
　甲１発明において、「外障子の下框」の「仕切り片の上側」が、「複層ガラスを受ける上方に開口した部分」であることをふまえると、甲１発明の「外障子の下框」が「仕切り片の上側、かつ複層ガラスの下に配置される断面視薄板状の部材」を有する構成と、本件訂正発明において「前記保持用開口部には、前記パネル材の下端縁を保持する不燃性の保持材が配置され」る構成とは、「前記保持用開口部には、パネル材の下に配置される部材」を有する点で、共通する。
　甲１発明において、「外障子の下框」が、「仕切り片下の中空部に配置される、断面視で折り曲げ片状の部材を有」する構成と、本件訂正発明において、「前記中空部には、不燃性の框補強材が設けられ」る構成とは、「前記中空部に配置される部材」を有する点で、共通する。
　甲１発明において、「ロッド棒受け金具の、下框の左右端部へのねじ止めは、外障子の複層ガラスの内側ガラスの略下方の位置で行われ」る構成は、本件訂正発明において、「前記固定装置は、前記下框の端部にビスによって固定され」る構成に、相当する。
　甲１発明において、「外障子の複層ガラスは、外側が網入りで６．８ｍｍのガラス、内側が３ｍｍのガラス、外側のガラスと内側のガラスとの間の空気層が１２ｍｍの、計２１．８ｍｍの厚さ」である構成は、「外側のガラス」の厚さが「内側のガラス」の厚さの倍以上であることから、「外側のガラス」の重量が「内側のガラス」の重量より大きいことが明らかであり、また「複層ガラス」の重心も、見込み方向で複層ガラスの中央より室外側に位置することが明らかであることをふまえると、本件訂正発明において、「前記パネル材は、室内側のガラス板と、前記室内側のガラス板よりも板厚が厚く重量の大きい室外側のガラス板とを有した複層のガラスパネルによって構成され」る構成、及び「前記パネル材の重心は、当該パネル材のうち見込み方向における中央よりも室外側に位置」する構成に相当する。
　甲１発明において、「外障子の下框の仕切り片下の中空部に配置される断面視で折り曲げ片状の部材は、見込み方向の室内側及び室外側に、互いに仕切り片からの距離が異なる略水平な部分を有する、柄杓状であり、見込み方向の室外側の略水平な部分は、見込み方向の室内側の略水平な部分よりも仕切り片からの距離が近く、外障子の複層ガラスの外側のガラスの下方の位置で仕切り片のタッピンねじホールと当接している」構成と、本件訂正発明において、「前記框補強材は、前記パネル材の見込み方向における中央よりも室外側であって前記室外側のガラス板の下方位置で、前記下框の見込み方向において前記仕切り片の前記ビスホール部と重なって前記保持材と連結される」構成とは、「外障子の下框の仕切り片下の中空部に配置される部材は、前記パネル材の見込み方向における中央よりも室外側であって前記室外側のガラス板の下方位置で、前記下框の見込み方向において前記仕切り片の前記ビスホール部と重なる部分を有する」という点で、共通する。
　以上を整理すると、甲１発明と本件訂正発明とは、
「窓枠内に固定された外障子と、前記外障子の室内側に沿って上下にスライドすることにより開閉可能な内障子とを備える建具であって、
　前記外障子は、下框を有して框組みされた内部にパネル材を嵌め込んで構成されるとともに、前記窓枠の左右の縦枠と前記下框とに取り付けられる固定装置を介して前記窓枠に固定され、
　前記外障子の前記下框は、前記内障子の内召合せ框の室外側に位置する外召合せ框であり、
　前記下框は、前記パネル材を保持する保持用開口部および前記保持用開口部に対して下方に位置する中空部を仕切る仕切り片とを備え、
　前記仕切り片には、上下方向において突出したビスホール部が形成され、
　前記保持用開口部には、パネル材の下に配置される部材を有し、
　前記中空部に配置される部材を有し、
　前記固定装置は、前記下框の端部にビスによって固定され、
　前記パネル材は、室内側のガラス板と、前記室内側のガラス板よりも板厚が厚く重量の大きい室外側のガラス板とを有した複層のガラスパネルによって構成され、
　前記パネル材の重心は、当該パネル材のうち見込み方向における中央よりも室外側に位置し、
　前記中空部に配置される部材は、前記パネル材の見込み方向における中央よりも室外側であって前記室外側のガラス板の下方位置で、前記下框の見込み方向において前記仕切り片の前記ビスホール部と重なる部分を有する、
　建具。」
　の点で一致し、両者は次の点で相違、あるいは形式的に相違する。
＜相違点１＞
　「固定装置」に関し、
　本件訂正発明では、「固定装置」は「不燃性」と特定されているのに対し、
　甲１発明では、「ロッド棒」、「ロッド棒受け金具」及び「外障子ストッパー」のうち、「ロッド棒受け金具」は「金具」であるから不燃性と解されるものの、「ロッド棒」及び「外障子ストッパー」は、「不燃性」であるとは特定されていない点。
＜相違点２＞
　「下框」に関し、
　本件訂正発明では、「室内側面部、室外側面部および底面部」を有すること、並びに、「仕切り片」が「前記底面部よりも上方において」保持用開口部と中空部を仕切ることが特定されているのに対し、
　甲１発明では、室内側面部、室外側面部および底面部を有し、仕切り片が底面部よりも上方において、複層ガラスを受ける上方に開口した部分と中空部とを仕切ることが特定されていない点。
＜相違点３＞
　「保持用開口部」に配置される部材に関し、
　本件訂正発明では、「パネル材の下端縁を保持する不燃性の保持材」であり、「前記保持材は、室内側の側片、室外側の側片および下片を有していると共に、前記室外側の側片が上下方向におけるその上縁から下縁にわたって前記下框の室外側面部に接触する位置に配置され」ると特定されているのに対し、
　甲１発明では、「外障子の下框」の「仕切り片の上側、かつ複層ガラスの下に配置される断面視薄板状の部材」が、複層ガラスの「下端縁を保持する不燃性の保持材」であること、及び、「室内側の側片、室外側の側片および下片を有していると共に、前記室外側の側片が上下方向におけるその上縁から下縁にわたって前記下框の室外側面部に接触する位置に配置され」ることは、特定されていない点。
＜相違点４＞
　「中空部」に設けられる部材に関し、
　本件訂正発明では「不燃性の框補強材」と特定されるとともに、「前記框補強材は、前記パネル材の見込み方向における中央よりも室外側であって前記室外側のガラス板の下方位置で、前記下框の見込み方向において前記仕切り片の前記ビスホール部と重なって前記保持材と連結される」と特定されているのに対し、
　甲１発明では、「仕切り片下の中空部に配置される、断面視で折り曲げ片状の部材」が、「不燃性の框補強材」であるとは特定されていないとともに、「外障子の下框」の「仕切り片の上側、かつ複層ガラスの下に配置される断面視薄板状の部材」に対して、「前記パネル材の見込み方向における中央よりも室外側であって前記室外側のガラス板の下方位置で、前記下框の見込み方向において前記仕切り片の前記ビスホール部と重なって」「連結されて」はいない点。
＜相違点５＞
　「固定装置」を「下框の端部」に固定する「ビス」の位置に関し、
　本件訂正発明では、「ビスの中心は、前記パネル材の見込み方向における中央と前記室内側のガラス板の室外面との間における見込み範囲内に納まって」いるのに対し、
　甲１発明では、ロッド棒受け金具を下框に対してねじ止めするねじ穴の位置が、「室外側の端部が外障子の複層ガラスの内側ガラスの室外側面と略一致し、当該ねじ穴の中心は、外障子の複層ガラスの内側ガラスの室外側面より室内側に位置」するから、当該ねじ穴に入るねじの中心も、「外障子の複層ガラスの内側ガラスの室外側面より室内側」に位置し、本件訂正発明における「パネル材の見込み方向における中央と前記室内側のガラス板の室外面との間における見込み範囲内」より室内側に位置する点。
（２）判断
　事案に鑑み、上記相違点５から、判断する。
　甲１発明においては、「ロッド棒」、「ロッド棒受け金具」及び「外障子ストッパー」を組み合わせて、「外障子の下框」を「たて枠」に固定しているところ、「ロッド棒受け金具の、下框の左右端部へのねじ止め」を行う「ねじ穴」について、「室外側の端部が外障子の複層ガラスの内側ガラスの室外側面と略一致し、当該ねじ穴の中心は、外障子の複層ガラスの内側ガラスの室外側面より室内側に位置」する構成は、「ロッド棒受け金具の、ロッド棒へのねじ止め」について、「外障子の複層ガラスの空気層の下方の位置で行われ」る構成と、室内外方向にねじ穴及びねじ止めの位置をずらせた点で、相互に関連している。そして、甲１発明において、「ロッド棒受け金具の、下框の左右端部へのねじ止め」を行う「ねじ穴」の位置を、室外側に変更しようとすると、「ロッド棒受け金具の、ロッド棒へのねじ止め」の位置も変更する必要が生じ、「ロッド棒受け金具」全体の形状、及び「ロッド棒」を差し込んだ状態で「ロッド棒受け金具をねじ止め」する「下框」の形状も変更する必要が生じるから、甲１発明において、他の構成を維持したまま、「ロッド棒受け金具の、下框の左右端部へのねじ止め」を行う「ねじ穴」の位置を、室外側に変更することには、阻害要因がある。
　また、甲１発明において、「ロッド棒受け金具の、下框の左右端部へのねじ止め」を行う「ねじ穴」の位置を変更するとともに、「ロッド棒受け金具の、ロッド棒へのねじ止め」の位置を調整し、「ロッド棒受け金具」全体の形状及び「下框」の形状についても調整することについては、動機付けがない。
　そして、本件訂正発明は、上記相違点５に係る構成を採用することにより、甲１発明における固定構造である、「ロッド棒」、「ロッド棒受け金具」及び「外障子ストッパー」を用い、「ロッド棒受け金具の、ロッド棒へのねじ止めは、小ねじトラスにより、外障子の複層ガラスの空気層の下方の位置で行われ、ロッド棒受け金具の、下框の左右端部へのねじ止めは、外障子の複層ガラスの内側ガラスの略下方の位置で行われ、当該ねじ止めを行うねじ穴は、室外側の端部が外障子の複層ガラスの内側ガラスの室外側面と略一致し、当該ねじ穴の中心は、外障子の複層ガラスの内側ガラスの室外側面より室内側に位置」するという固定構造とは、異なる構成を採用しつつ、「固定装置」により「下框」を固定する「ビスの中心」を室内側のガラス板の室外面よりも室外側とすることで、特許権者による令和３年３月１６日付け意見書第３頁第１８行ないし２１行において主張するように、火災時に框などが溶融した際における外障子の室外側への倒れ方を小さくするという所定の効果も奏するものと認められるから、甲１発明において上記相違点５に係る本件訂正発明の構成を採用することを、単なる設計事項と断じることはできない。
　甲第３号証には、上記第４の３（３）アに摘記した事項が記載されており、甲３発明は同イに認定した構成を有するが、甲１発明における「ロッド棒」、「ロッド棒受け金具」及び「外障子ストッパー」を用いた「下框」の固定構造について、「ロッド棒受け金具」を「下框」に固定するねじ又はねじ穴の位置を、室外側に移動させることを、示唆するものではない。
　したがって、甲１発明において、上記相違点５に係る本件訂正発明の構成に至ることは、甲第３号証に記載される事項を考慮しても、当業者にとって容易であったということはできない。
　そして、上記相違点５に係る本件訂正発明の構成は想到容易でないから、その余の相違点１ないし４について検討するまでもなく、本件訂正発明は、甲１発明、及び甲第３号証に記載された事項に基いて、当業者が容易に発明をすることができたものではない。
２　申立人による異議申立理由について
　申立人による異議申立理由においては、本件訂正前の請求項１に係る発明について、甲第１号証に記載された発明、及び甲第２号証ないし甲第１１号証に示される周知技術に基いて、当業者が容易に発明をすることができた旨が主張されている。
　また、申立人は申立書に添えて、参考文献として、本願の原出願より後に公開された甲第１２号証も提出している。
（１）甲第２号証、及び甲第４号証ないし甲第１１号証について
　甲第１号証に記載された発明、及び甲第３号証に記載された事項に基づく判断は、上記１に示したとおりである。
　甲第２号証、及び甲第４号証ないし甲第１１号証には、上記第４の３（２）ならびに同（４）ないし（１１）に摘記した事項が記載されているが、いずれも甲１発明における「ロッド棒」、「ロッド棒受け金具」及び「外障子ストッパー」を用いた「下框」の固定構造について、「ロッド棒受け金具」を「下框」に固定するねじ又はねじ穴の位置を、室外側に移動させることを、示唆するものではない。
　したがって、甲第２号証、甲第４号証ないし甲第１１号証に記載された事項を併せ考慮しても、甲１発明において、上記相違点５に係る本件訂正発明の構成に至ることは、甲第２号証ないし甲第１１号証に記載された事項に基いて、当業者にとって容易であったとはいえない。
（２）甲第１２号証について
　甲第１２号証は、甲第１号証の作成者による特許出願の公開公報であり、本願の原出願より後に公開されたものであるところ、同甲号証には、上記第４の３（１２）に摘記した【図４】が示されている。
　甲第１２号証の【図４】は、上記（１）ア（カ）ｄに摘記した甲第１号証における「ロッド棒受け金具」の取付説明図における断面図に、外障子の複層ガラス、及び内障子を書き加えた状態と似ている。
　しかしながら、甲第１２号証の【図４】を参照しても、上記第４の３（１）イにおける甲１発明の認定を、変更すべき事情は見いだせない。
　そして、甲第１２号証を併せ考慮しても、本件訂正発明の進歩性について、上記１及び上記２（１）と異なる判断をすべき事情は見いだせない。
（３）小括
　よって、本件訂正発明は、甲１発明、及び甲第２号証ないし甲第１１号証に記載された事項に基いて、当業者が容易に発明をすることができたものではない。
３　申立人の主張について
　本件訂正請求について、申立人に期間を指定して意見を求めたところ、申立人は本件訂正請求に対する意見書を提出しなかった。
　また、特許異議申立書に記載された特許異議申立理由について検討しても、本件訂正発明の進歩性について、上記１及び２と異なる判断をすべき事情を見いだすことはできない。
第６　むすび
　以上のとおり、本件訂正発明に係る特許は、取消理由通知に記載した取消理由及び特許異議申立書に記載された特許異議申立理由によっては、取り消すことができない。
　また、他に本件訂正発明に係る特許を取り消すべき理由を発見しない。
　よって、結論のとおり決定する。
 
【異議決定日】
令和３年５月２７日（２０２１．５．２７）
【訂正の要旨】
審決（決定）の【理由】欄参照。
（５４）【発明の名称】
建具
　【技術分野】
　【０００１】
　本発明は、窓枠内に固定装置を介して固定される外障子と該外障子の室内側を摺動する内障子とを備えた上げ下げ窓などの建具に関する。
　【背景技術】
　【０００２】
　住宅等の外壁開口部に設けられる建具として、上下一対の障子のうち、外障子である上部障子が窓枠内の上部に固定されるとともに、下部障子が窓枠内で上下にスライドすることで開閉自在に設けられた上げ下げ窓が知られている（例えば、特許文献１参照）。
　【０００３】
　このような上げ下げ窓では、上部障子が固定装置を介して窓枠内の上部に固定されている。固定装置は上部障子の下辺部両端側にそれぞれ設けられており、窓枠の縦枠に固定される垂直支持片部と、上部障子の下框に固定される水平支持片部とを有した略Ｌ字形状に形成されている。この固定装置により上部障子の下辺部が支持され、当該上部障子が窓枠内で下方に落下することなく固定される。
　【先行技術文献】
　【特許文献】
　【０００４】
　【特許文献１】特開２００７−１１３２１７号公報
　【発明の概要】
　【発明が解決しようとする課題】
　【０００５】
　特許文献１に記載されたような従来の上げ下げ窓では、火災時の輻射熱により室外側から加熱された場合、見込み方向の室外側にある上部障子が熱影響を受け易い。このため、上部障子が加熱され、アルミ製の下框が室外側から溶融すると、上部障子に嵌め込まれているガラスパネルを下框で保持することが困難となり、ガラスパネルが脱落する可能性がある。このような状況では、ガラスパネルの脱落によって、上部障子に室内外を連通させる開口部分が生じてしまうことから、そのような上げ下げ窓を防火戸として使用できない。
　【０００６】
　本発明の目的は、外障子の下框が溶融しても、外障子からパネル材が脱落するのを防止できる建具を提供することにある。
　【課題を解決するための手段】
　【０００７】（削除）
　【０００８】
　本発明の建具は、窓枠内に固定された外障子と、前記外障子の室内側に沿って上下にスライドすることにより開閉可能な内障子とを備える建具であって、前記外障子は、下框を有して框組みされた内部にパネル材を嵌め込んで構成されるとともに、前記窓枠の左右の縦枠と前記下框とに取り付けられる不燃性の固定装置を介して前記窓枠に固定され、前記外障子の前記下框は、前記内障子の内召合せ框の室外側に位置する外召合せ框であり、前記下框は、
室内側面部、室外側面部および底面部と、前記底面部よりも上方において
および
と
前記保持材は、室内側の側片、室外側の側片および下片を有していると共に、前記室外側の側片が上下方向におけるその上縁から下縁にわたって前記下框の室外側面部に接触する位置に配置され、
、前
前記ビスの中心は、前記パネル材の見込み方向における中央と前記室内側のガラス板の室外面との間における見込み範囲内に納まっており、
　この本発明の建具によれば、下框に設けられてパネル材の荷重を受ける框補強材は不燃性とされる。従って、火災時の輻射熱によって外障子の下框が室外側から溶融しても、框補強材によってパネル材を継続して支持でき、框組みに嵌め込まれたパネル材が下框の呑込部分から外れることがなく、パネル材の脱落を防止できる。
　また、建具として、窓枠と、この窓枠内に固定される外障子と、窓枠内に上下スライド開閉する内障子とを備えた上げ下げ窓とすることができ、防火戸として利用可能な上げ下げ窓を提供できる。
　【０００９】
　本発明の建
具は
窓枠内に固定された外障子と、前記外障子の室内側に沿って上下にスライドすることにより開閉可能な内障子とを備える建具であって、前記外障子は、下框を有して框組みされた内部にパネル材を嵌め込んで構成されるとともに、前記窓枠の左右の縦枠と前記下框とに取り付けられる不燃性の固定装置を介して前記窓枠に固定され、前記外障子の前記下框は、前記内障子の内召合せ框の室外側に位置する外召合せ框であり、前記下框は、前記パネル材を保持する保持用開口部と、前記保持用開口部に対して下方に位置する中空部とを仕切る仕切り片を備え、前記仕切り片には、上下方向において突出したビスホール部が形成され、前記保持用開口部には、前記パネル材の下端縁を保持する不燃性の保持材が配置され、前記中空部には、不燃性の框補強材が設けられ、前記固定装置は、前記下框の端部にビスによって固定され、前記ビスによる固定位置は、前記パネル材の見込み方向における中央と前記パネル材の室内面との間における見込み範囲内に納まっており、前記パネル材は、室内側のガラス板と、前記室内側のガラス板よりも板厚が厚く重量の大きい室外側のガラス板とを有した複層のガラスパネルによって構成され、前記パネル材の重心は、当該パネル材のうち見込み方向における中央よりも室外側に位置し、前記框補強材は、前記パネル材の見込み方向における中央よりも室外側であって前記室外側のガラス板の下方位置で、前記下框の見込み方向において前記仕切り片の前記ビスホール部と重なって前記保持材と連結され、
　このような構成によれば、
前述した作用効果を発揮するうえ、
　【００１０】（削除）
　【００１１】（削除）
　【発明の効果】
　【００１２】
　本発明によれば、外障子の下框が溶融しても、外障子からパネル材が脱落するのを防止可能な建具を提供できる。
　【図面の簡単な説明】
　【００１３】
　【図１】本発明の第１実施形態に係る建具を示す縦断面図。
　【図２】図１のＩＩ−ＩＩ線に沿った横断面図。
　【図３】前記建具を室外側から見た外観斜視図。
　【図４】前記建具を室内側から見た内観姿図。
　【図５】前記建具の外障子の下辺部を支持する固定装置を室外側から示す断面図。
　【図６】前記外障子の下框を示す縦断面図。
　【図７】前記下框の室外側が溶融して落下した状態を示す縦断面図。
　【図８】本発明の第２実施形態の要部を示す縦断面図。
　【発明を実施するための形態】
　【００１４】
［第１本実施形態の構成］
　以下、本発明の実施形態を図面に基づいて説明する。
　図１〜図４において、上げ下げ窓１は、戸建て住宅等の建物の外壁開口部に設けられて建物の室内空間と室外空間とを仕切る本実施形態に係る建具であって、上枠１１、下枠１２、および左右の縦枠１３を四周枠組みした窓枠１０と、この窓枠１０の内側に支持された上部障子２０（外障子）および下部障子３０（内障子）とを備えて構成されている。
　【００１５】
　窓枠１０の上枠１１、下枠１２、および左右の縦枠１３は、室外側に位置するアルミ製の押出し形材と室内側に位置する樹脂製材料とが組み合わされた複合体によって形成されている。
　上部障子２０は、上框２１、下框２２（外召合せ框）、および左右の縦框２３を四周框組みした内部に、複層のガラスパネル２４（パネル材）を嵌め込んで構成されている。上框２１および左右の縦框２３は、室外側に位置するアルミ製の押出し形材と室内側に位置する樹脂製材料とが組み合わされた複合体によって形成されており、下框２２は、アルミ製の押出し形材によって形成されている。
　下部障子３０は、上框３１（内召合せ框）、下框３２、および左右の縦框３３を四周框組みした内部に、複層のガラスパネル３４を嵌め込んで構成されている。上框３１、下框３２および左右の縦框３３は、室外側に位置するアルミ製の押出し形材と室内側に位置する樹脂製材料とが組み合わされた複合体によって形成されている。
　【００１６】
　窓枠１０、上部障子２０および下部障子３０に使用される樹脂製材料は、ポリ塩化ビニル樹脂（ＰＶＣ）によって構成されている。なお、ＰＶＣは、火炎から離されていれば消火する自己消火性に優れるため、これ自体が火炎に直接さらされない限り、発火可能性は低い。
　【００１７】
　上部障子２０は、窓枠１０の上枠１１および縦枠１３に位置決めされて固定された固定障子であり、下部障子３０よりも室外側に設けられている。
　下部障子３０は、窓枠１０の縦枠１３に案内され、上部障子２０の室内側に沿って上下スライド開閉可能に支持された可動障子である。
　これらの上部障子２０の下框２２（外召合せ框）と下部障子３０の上框３１（内召合せ框）とが見込み方向に重なると、上げ下げ窓１が閉じられるようになっている。
　下部障子３０の上框３１の略中央部にはクレセント錠３５が設けられ、上部障子２０の下框２２には錠受け２５が設けられており、上部障子２０および下部障子３０を閉じた状態でクレセント錠３５を錠受け２５に係合させることで、上げ下げ窓１が施錠されるようになっている。
　【００１８】
　窓枠１０の縦枠１３は、見込み方向に延びる見込み片部１３１と、見込み片部１３１の室内側、中間部、および室外側からそれぞれ見付け方向内側に延びる室内側見付け片１３２、中間部見付け片１３３、および室外側見付け片１３４とを有して形成されている。
　なお、本実施形態での室内側見付け片１３２は、樹脂製材料によって形成され、見込み片部１３１および室外側見付け片１３４がアルミ製の押出形材の一部、中間部見付け片１３３がアルミ製の押出形材と樹脂製材料の組み合せとして形成されている。
　【００１９】
　下部障子３０は、上框３１の両端に設けられた樹脂製の上部摺動片３６と、下部障子３０の下端部に連結された下部摺動片３７とが、縦枠１３の室内側見付け片１３２および中間部見付け片１３３間に案内されることで上下スライド可能に構成されている。
　上部障子２０は、縦枠１３の中間部見付け片１３３および室外側見付け片１３４間に設けられる固定装置５０によって、下辺両端部である下框２２の端部および縦框２３の下端部が支持されるとともに、上辺両端部である上框２１の端部および縦框２３の上端部に取り付けた位置決め部材６０が上枠１１によって位置決めされることで窓枠１０に固定されている。下框２２には、室内側から上方に延出した延出片２２Ａ（図１，６）が設けられている。
　【００２０】
　次に、上部障子２０の固定構造について図５、図６も参照して説明する。
　図５は、上部障子２０の下辺部を支持する固定装置５０を室外側から示す断面図である。図６は、上部障子２０の下框２２を示す縦断面図である。
　図１〜図３、図５、図６に示すように、固定装置５０は、縦枠１３の見込み片部１３１に固定される受け材５１と、この受け材５１に対して着脱自在かつ固着可能に設けられるとともに上部障子２０の下辺部を支持可能な固定材５２と、固定材５２を覆う樹脂製（ＡＳＡ）の固定材カバー５３（図１，２）とを備えて構成され、固定材カバー５３を除いて不燃性を有している。
　【００２１】
　受け材５１は、金属板材の折り曲げ加工により成形され、縦枠１３の見込み片部１３１に固定される上下の固定片部５１１と、これらの固定片部５１１から縦枠１３の見付け方向内側にコ字形に突出する固着部５１２とを有して形成されている。そして、受け材５１は、縦枠１３の見付け方向外側から螺合されるビス５１３によって縦枠１３の見込み片部１３１に固定されるようになっている。また、固着部５１２には、固定材５２を螺合するための２つのビス孔が設けられている。
　【００２２】
　固定材５２は、樹脂製（ＡＳＡ）の固定材本体５２１と、この固定材本体５２１に取り付けられた金属製（ステンレス）の固定補強板５２２とを有して形成されている。固定補強板５２２は、金属板材から断面略Ｌ字形に形成されており、受け材５１に固着した状態で略水平に延びる水平支持片部５２２Ａと、略鉛直に延びる鉛直支持片部５２２Ｂとを有して形成されている。一方、固定材本体５２１は、受け材５１に固着した状態で受け材５１を覆うケース部５２１Ａと、このケース部５２１Ａから延出し固定補強板５２２の水平支持片部５２２Ａ下側に沿って延びる水平延出部５２１Ｂと、固定補強板５２２の鉛直支持片部５２２Ｂを係止する係止片部５２１Ｃとを有して形成されている。これらの固定材本体５２１および固定補強板５２２は、係止片部５２１Ｃで鉛直支持片部５２２Ｂを係止することで一体に組み立てられるようになっている。
　【００２３】
　以上のような固定材５２は、ビス５２３を用いて受け材５１に取り付けられ、ビス５２３を取り外すことで受け材５１から取り外せる、つまり受け材５１に対して着脱自在に構成されている。詳しく説明すると、固定材本体５２１のケース部５２１Ａと固定補強板５２２の鉛直支持片部５２２Ｂとに２本のビス５２３を貫通させ、これらのビス５２３を固着部５１２のビス孔に螺合することで、固定材５２が受け材５１に固着されるようになっており、逆の手順でビス５２３を取り外すことで受け材５１から固定材５２が取り外されるようになっている。さらに、固定材本体５２１の水平延出部５２１Ｂと固定補強板５２２の水平支持片部５２２Ａにビス５２４を貫通させ、このビス５２４を上部障子２０の下框２２を形成する底面部２２３（図５、図６）に螺合することで、上部障子２０が固定装置５０に対して移動不能に支持されるようになっている。
　【００２４】
　位置決め部材６０は、図１に示すように、上枠１１の突片１１１に当接して上部障子２０の上辺部を、上枠１１に対する左右方向と見込み方向との両方向に位置決めし、上辺部が水平方向に移動しないように規制する部材である。このような位置決め部材６０は、上部障子２０の上辺部に取り付けられ、位置決め部材６０が取り付けられた上部障子２０を窓枠１０に室外側から建て込むことで、位置決め部材６０が縦枠１３の室外側見付け片１３４に係止されて上部障子２０が室外側に倒れないようになっている。さらに、位置決め部材６０が取り付けられた上部障子２０を上方に持ち上げて上辺部を上枠１１に近接させると、位置決め部材６０が突片１１１の傾斜面に当接して室内側に案内され、上部障子２０の上辺部が見込方向に位置決めされる。また、位置決め部材６０の一部が突片１１１に設けられた図示略の切欠きに挿入されることで、上部障子２０の上辺部が上枠１１に対して左右方向に位置決めされるようになっている。
　【００２５】
　図１、図３、図５、図６において、本実施形態の上部障子２０の下框２２内には、ガラスパネル２４の荷重を間接的に支持する框補強材７０が設けられている。框補強材７０は、スチール等の金属製で不燃性を有し、下框２２の長手方向に沿って連続したバー状に形成されている。框補強材７０の長さ寸法は、例えばガラスパネル２４の下端の一辺の長さ寸法と同程度であるが、ガラスパネル２４の両端近傍に分けて設けてもよい。
　ここで、下框２２は、鉛直な室内側面部２２１および室外側面部２２２と、これらを連結する仕切り片２８とを有している。仕切り片２８は図６に示すように突出して形成されたビスホール部を有している。下框２２における仕切り片２８の上方の空間は、各側面部２２１，２２２の上側部分と当該仕切り片２８とで区画され、上方に開口してガラスパネル２４の下端縁を保持する保持用開口部２６になっている。下框２２における仕切り片２８の下方の空間は、各側面部２２１，２２２の下側部分と当該仕切り片２８とで区画された中空部２７になっている。上方の保持用開口部２６内には、ガラスパネル２４の下端縁の他、この下端縁をガスケット２４１を介して保持する断面コ字形の保持材２４２が配置されている。保持材２４２もスチール等の金属製であり、不燃性を有している。下方の中空部２７内には、框補強材７０が挿入されている。
　【００２６】
　框補強材７０は、見込み方向に沿った見込み片、本実施形態では固定装置５０に連結される水平な連結片７１と、連結片７１の室外側端に連続して設けられて上方に突出するとともに下方に向けてコ字形に開口した支持片７２とを有し、断面柄杓形に形成されている。このような框補強材７０では、長手方向の両側にて、連結片７１部分がビス５２４によって固定装置５０に固定されている。すなわちビス５２４は、固定装置５０に下框２２を固定するのみならず、框補強材７０を固定装置５０に固定するためにも用いられる。下框２２の端部と固定装置５０とを固定するビス５２４による固定位置は、図６に示すように、ガラスパネル２４の見込み方向における中央と
室内側のガラス板の室外面
　なお、図８では、框補強材７０の上下の高さ寸法を中空部２７の中空部２７と略同じにすることで、框補強材７０の上端を仕切り片２８の下面２８Ａと線接触させている。
　【００２７】
［本実施形態の作用］
　以下、本実施形態に係る上げ下げ窓１の作用について説明する。例えば、室外側において火災が発生した場合は次の通りである。
　室外側での火災時、上げ下げ窓１は、室外から輻射熱を受けて次第に温度上昇する。特に室外側に配置された上部障子２０への熱影響が大きく、上部障子２０の下框２２を形成している室外側面部２２２の温度がアルミの溶融温度（６１５℃〜６５５℃）に達すると、この鉛直な室外側面部２２２が溶融し、図７に示すように、落下してしまうことがある。
　この際、下框２２の内部には不燃性を有する框補強材７０が設けられ、その長手方向の両側が固定装置５０に連結され、固定装置５０を介して縦枠１３に固定されている。すなわち、框補強材７０は、下框２２の室外側面部２２２が溶融落下しても、下框２２の仕切り片２８および保持材２４２を介してガラスパネル２４の下端縁を支持することとなり、ガラスパネル２４が上部障子２０から脱落するのを防止する。
　【００２８】
［本実施形態の効果］
　このような本実施形態によれば、以下のような効果がある。
　（１）上げ下げ窓１の上部障子２０においては、下框２２に設けられてガラスパネル２４の加重を受ける框補強材７０は不燃性とされ、同様に不燃性を有する固定装置５０を介して窓枠１０の左右の縦枠１３に固定されている。従って、火災時の輻射熱によって上部障子２０の下框２２を形成している室外側面部２２２が溶融落下しても、窓枠１０に固定された框補強材７０によってガラスパネル２４を継続して支持でき、框組みに嵌め込まれたガラスパネル２４が下框２２の呑込部分から外れることがなく、ガラスパネル２４の脱落を防止できる。これにより、上げ下げ窓１を耐火戸として用いることができる。
　【００２９】
　（２）框補強材７０は支持片７２を備え、支持片７２の上面７２Ａがガラスパネル２４保持用の保持用開口部２６を区画している仕切り片２８の下面２８Ａと面接触しているので、仕切り片２８を介して框補強材７０によりガラスパネル２４を安定して支持でき、ガラスパネル２４の脱落をより確実に防止できる。
　【００３０】
　（３）ガラスパネル２４を保持する保持材２４２と框補強材７０とがビス２４３にて連結されているので、下框２２の室外側面部２２２が溶融した際には、ガラスパネル２４を保持材２４２ごと框補強材７０にて確実に支持でき、保持状態をより良好に維持できる。従って、ガラスパネル２４をほぼ通常の位置で支持でき、ガラスパネル２４の位置ずれによる開口部分を一層生じにくくできる。
　【００３１】
　（４）框補強材７０の支持片７２は、框補強材７０の中でも室外側に設けられているので、室外側に脱落しようとするガラスパネル２４を良好に支持できる。特に、複層のガラスパネル２４は、板厚が厚く重量の大きいガラス板が室外側に配置され、ガラスパネル２４の重心は見込み方向の室外側にあるため、下框２２の室外側面部２２２が溶融した場合にガラスパネル２４が室外側に落下し易くなっている。従って、框補強材７０の中でも、支持片７２が室外側に設けられていることや、この支持片７２と保持材２４２との連結部分が室外側に位置することで、当該支持片７２によってガラスパネル２４を一層確実に支持できる。
　【００３２】
［第２実施形態］
　図８には、本発明の第２実施形態として、断面Ｌ字形の框補強材７０を用いた例が示されている。
　本実施形態の框補強材７０は、固定装置５０に連結される水平な連結片７３と、連結片の室外側端に連続して設けられるとともに上方に向けて鉛直に立設された支持片７４とを有し、断面Ｌ字形に形成されている。支持片７４の上端は、室外側面部２２２の内面に当接するように室外側に位置している。ただし、支持片７４は、ビス２４３によって仕切り片２８および保持材２４２とは連結されていない。その他の構成は第１実施形態と同じである。
　【００３３】
　本実施形態においては、火災時に室外側面部２２２が溶融落下した場合、框補強材７０を形成する支持片７４の上部先端が、仕切り片２８の下面２８Ａの室外側の部分と略線接触して当接し支持する。このため、框補強材７０の形状は異なるが、その仕切り片２８および保持材２４２を介して支持片７４にてガラスパネル２４を良好に支持でき、第１実施形態の（１）の効果を同様に得ることができる。
　また、支持片７４が室外側に設けられていることで、第１実施形態の（４）の効果も同様に得ることができる。さらに、框補強材７０の形状を単純化して材料コストを抑えることができる。
　【００３４】
［変形例］
　なお、本発明は以上の各実施形態で説明した構成のものに限定されず、本発明の目的を達成できる範囲での変形例は、本発明に含まれる。
　例えば、前記各実施形態では、断面柄杓形あるいは断面Ｌ字形の長尺の一本の框補強材７０が框内に連続して用いられていたが、框補強材は框の両端部にそれぞれ短尺のものが設けられてもよく、また、その断面形状は任意であり、各実施形態の形状に限定されない。
　また、金属板材の曲げ加工等で一体成形される框補強材に限らず、溶接等により一体に接合される複数部材で框補強材を構成してもよい。
　【００３５】
　前記各実施形態では、框補強材７０が下框２２の中空部２７内に配置されていたが、本発明に係る框補強材は、固定装置５０に連結され、かつパネル材を支持できればよいから、そのような中空部２７内に配置されていなくともよい。例えば、下框の断面形状や框補強材の断面形状を工夫することで、框補強材を下框の下面に沿って設けるなど、室内側および室外側から視認できない位置に設けつつ、框補強材の両側を固定装置に連結し、かつその框補強材によってパネル材を支持させてもよい。
　【００３６】
　前記各実施形態では、本発明に係るパネル材として複層のガラスパネル２４を例に挙げて説明したが、単層のガラスパネル、セラミック製のパネル材、スチール等の金属製のパネル材、自然石等のパネル材などであってもよい。
　【００３７】
　前記各実施形態では、アルミ製材料と樹脂製材料との複合体によって窓枠１０や障子２０，３０の框組みが構成されている例を説明したが、これに限定されず、窓枠の窓枠材や障子の框材をアルミ製や樹脂製の押出し形材のみによって構成してもよい。
　【００３８】
　前記各実施形態では、上部障子２０および下部障子３０を備えた上げ下げ窓１について説明したが、本発明の建具としては、上部障子、中間障子、および下部障子を備えた段窓タイプの上げ下げ窓であってもよい。このような場合では、中間障子が固定障子とされ、固定装置により窓枠に固定される。
　【００３９】
　前記第２実施形態では、框補強材７０の支持片７４が鉛直片として形成され、保持材２４２には連結されていなかったが、例えば、このような支持片７４の高さ方向の中間位置に室内側に延出する水平片を設け、この水平片にビス２４３を螺合させる等して框補強材７０を保持材２４２に連結してもよい。
　【符号の説明】
　【００４０】
　１…上げ下げ窓（建具）、１０…窓枠、１３…縦枠、２０…上部障子（外障子）、２２…下框（外召合せ框）、２４…ガラスパネル（パネル材）、２６…保持用開口部、２８Ａ…下面、３０…下部障子（内障子）、３１…上框（内召合せ框）、５０…固定装置、７０…框補強材、７２…支持片、２４２…保持材。
（５７）【特許請求の範囲】
　【請求項１】
　窓枠内に固定された外障子と、前記外障子の室内側に沿って上下にスライドすることにより開閉可能な内障子とを備える建具であって、
　前記外障子は、下框を有して框組みされた内部にパネル材を嵌め込んで構成されるとともに、前記窓枠の左右の縦枠と前記下框とに取り付けられる不燃性の固定装置を介して前記窓枠に固定され、
　
　前記下框は、
室内側面部、室外側面部および底面部と、前記底面部よりも上方において
および
部を
と
　前記仕切り片には、上下方向において突出したビスホール部が形成され、
　前記保持用開口部には、前記パネル材の下端縁を保持する不燃性の保持材が配置され、
　前記保持材は、室内側の側片、室外側の側片および下片を有していると共に、前記室外側の側片が上下方向におけるその上縁から下縁にわたって前記下框の室外側面部に接触する位置に配置され、
　前記中空部には、不燃性の框補強材が設けられ、
　前記固定装置は、前記下框の端部にビスによって固定され、
　
　
前記ビスの中心は、前記パネル材の見込み方向における中央と前記室内側のガラス板の室外面との間における見込み範囲内に納まっており、
　前記パネル材の重心は、当該パネル材のうち見込み方向における中央よりも室外側に位置し、
　前記框補強材は、前記パネル材の見込み方向における中央よりも室外側であって前記室外側のガラス板の下方位置で、前記下框の見込み方向において前記仕切り片の前記ビスホール部と重なって前記保持材と連結される
　ことを特徴とする建具。
　【請求項２】
　窓枠内に固定された外障子と、前記外障子の室内側に沿って上下にスライドすることにより開閉可能な内障子とを備える建具であって、
　前記外障子は、下框を有して框組みされた内部にパネル材を嵌め込んで構成されるとともに、前記窓枠の左右の縦枠と前記下框とに取り付けられる不燃性の固定装置を介して前記窓枠に固定され、
　前記外障子の前記下框は、前記内障子の内召合せ框の室外側に位置する外召合せ框であり、
　前記下框は、前記パネル材を保持する保持用開口部と、前記保持用開口部に対して下方に位置する中空部とを仕切る仕切り片を備え、
　前記仕切り片には、上下方向において突出したビスホール部が形成され、
　前記保持用開口部には、前記パネル材の下端縁を保持する不燃性の保持材が配置され、
　前記中空部には、不燃性の框補強材が設けられ、
　前記固定装置は、前記下框の端部にビスによって固定され、
　前記ビスによる固定位置は、前記パネル材の見込み方向における中央と前記パネル材の室内面との間における見込み範囲内に納まっており、
　前記パネル材は、室内側のガラス板と、前記室内側のガラス板よりも板厚が厚く重量の大きい室外側のガラス板とを有した複層のガラスパネルによって構成され、
　前記パネル材の重心は、当該パネル材のうち見込み方向における中央よりも室外側に位置し、
　前記框補強材は、前記パネル材の見込み方向における中央よりも室外側であって前記室外側のガラス板の下方位置で、前記下框の見込み方向において前記仕切り片の前記ビスホール部と重なって前記保持材と連結され、
　前記框補強材は、前記保持用開口部の下面と面接触する
　ことを特徴とする建具。